Podtech/llm-jp-corpus-v4-ja_patent huggingface dataset:
【手続補正書】
【提出日】平成20年7月10日(2008.7.10)
【手続補正１】
【補正対象書類名】特許請求の範囲
【補正対象項目名】全文
【補正方法】変更
【補正の内容】
【特許請求の範囲】
【請求項１】
電子的にプログラム可能なヒューズ（電子ヒューズ）の低電圧プログラミング及び差異感知のための集積回路であって、
第１端子及び第２端子を有する電子ヒューズと、
前記第１端子に結合され、プログラミング電圧を前記第１端子へ切換えるように構成された第１トランジスタと、
前記電子ヒューズの第２端子に結合され、プログラミング動作と感知動作との両方の間アクティブである第２トランジスタと、
前記第１端子に結合され、供給電圧に結合され、前記電子ヒューズを通る感知電流を減少させるように構成された第１ダミー・ヒューズと、
前記電子ヒューズの第１端子に結合された第１入力端子と、感知動作のための基準電圧を与える第１電圧ディバイダに結合された第２入力端子とを有する差動増幅器と、
前記第１電圧ディバイダに結合され、前記感知動作の間アクティブとなるように構成されたゲーティング・トランジスタと、
を備えた集積回路。
【請求項２】
前記ゲーティング・トランジスタにわたる電圧低下が、前記電子ヒューズがプログラムされていない状態であるときの前記感知動作の間の前記第２トランジスタにわたる電圧低下に実質的に等しい、請求項１に記載の集積回路。
【請求項３】
前記感知動作を実行するために一定時間にわたって前記第２トランジスタに制御電圧を印加し、それにより、前記感知動作によって引き起こされる前記電子ヒューズにわたる抵抗の変動が抑制される、請求項１に記載の集積回路。
【請求項４】
電子ヒューズ・アレイをさらに備え、前記電子ヒューズ・アレイに前記差動増幅器及び基準電圧が結合され、前記アレイにおける前記電子ヒューズの各々のためのゲーティング・トランジスタが提供される、請求項１に記載の集積回路。
【請求項５】
前記電子ヒューズ・アレイの中からプログラミング及び感知のための単一の電子ヒューズを選択する機能を有する、ヒューズ選択及びデコード回路と、
前記アレイの各電子ヒューズに対応し、それぞれが前記アレイの電子ヒューズのプログラミング状態に対応するデジタル値を格納するように構成された、複数の集積回路ラッチと、
をさらに備えた、請求項４に記載の集積回路。
【請求項６】
前記差動増幅器の第１入力に結合され、前記基準電圧の増加的調節を可能にするように構成された、第２ダミー・ヒューズと、
前記第２ダミー・ヒューズに結合された第４トランジスタと、
前記供給電圧を前記第２ダミー・ヒューズへ切換えるために前記第４トランジスタのゲートに結合された第１デジタル制御入力と、
前記第４トランジスタのゲートに結合された出力を有するインバータと、
をさらに備えた、請求項５に記載の集積回路。
【請求項７】
電子ヒューズの低電圧プログラミング及び差異感知のための集積回路であって、
プログラミング信号を与えるインバータと、
前記インバータの出力に結合されたゲートと、前記集積回路の電力供給に結合されたソースと、前記電子ヒューズの第１端子に結合されたドレーンとを有し、プログラミング電圧を前記第１端子に切換えるように構成された、第１トランジスタと、
デコード・ヒューズ選択信号に結合されたゲートと、地電位に結合されたソースと、前記電子ヒューズの第２端子に結合されたドレーンとを有し、プログラミング動作及び感知動作の両方の間アクティブである、第２トランジスタと、
前記電子ヒューズの第１端子に結合された第１入力端子と、感知動作のための基準電圧を与える第１電圧ディバイダに結合された第２入力端子とを有し、前記電子ヒューズのプログラミング状態に対応するデジタル出力信号を生成するように構成された、差動増幅器と、
前記第１端子に結合され、前記供給電圧に結合され、前記電子ヒューズを通る感知電流を減少させるように構成された第１ダミー・ヒューズと、
前記電圧ディバイダに結合され、前記感知動作の間アクティブとなるように構成されたゲーティング・トランジスタと、
を備えた、集積回路。
【請求項８】
集積回路における電子ヒューズをプログラミングし、その状態を感知する方法であって、
プログラミングのための電子ヒューズを選択するステップと、
前記電子ヒューズをプログラミングするステップと、
感知動作のための基準電圧を与えるステップと、
前記プログラミングのために選択されたヒューズにわたる電圧低下を、前記感知動作の間の基準電圧と比較するステップと、
を含む方法。
【請求項９】
複数のデジタル制御入力を提供するステップと、
前記複数のデジタル制御入力を用いて前記基準電圧を個別の増分で修正するステップと、
前記複数の電子ヒューズの各々にわたる電圧低下を前記修正された基準電圧と比較するステップと、
前記比較ステップの結果に基づいて前記複数の電子ヒューズの各々の抵抗を特徴付けるステップと、
をさらに含む、請求項８に記載の方法。
【請求項１０】
機械によって読み取り可能であり、前記機械によって実行可能な命令プログラムを明白に具体化して、電子ヒューズをプログラミングし感知するための方法ステップを実行するための、プログラム・ストレージ・デバイスであって、
プログラミングのための電子ヒューズを選択するステップと、
前記電子ヒューズをプログラミングするステップと、
感知動作のための基準電圧を与えるステップと、
前記プログラミングのための選択されたヒューズにわたる電圧低下を、前記感知動作の間の基準電圧と比較するステップと、
を含むプログラム・ストレージ・デバイス。
【請求項１１】
複数のデジタル制御入力を提供するステップと、
前記デジタル制御入力を用いて前記基準電圧を個別の増分で修正するステップと、
前記複数の電子ヒューズの各々にわたる電圧低下を前記修正された基準電圧と比較するステップと、
前記比較ステップの結果に基づいて前記複数の電子ヒューズの各々の抵抗を特徴付けるステップと、
をさらに含む、請求項９に記載のプログラム・ストレージ・デバイス。
【手続補正書】
【提出日】平成20年9月2日(2008.9.2)
【手続補正１】
【補正対象書類名】特許請求の範囲
【補正対象項目名】全文
【補正方法】変更
【補正の内容】
【特許請求の範囲】
【請求項１】
NKT細胞と、NKT細胞からのサイトカインの分泌を誘発し、NKT細胞の増殖を刺激し、又はNKT細胞の細胞表面マーカーの発現をアップレギュレートするのに充分な量のiGb3とを、インビトロ又はヒトを除く対象のインビボで接触させることを特徴とするNKT細胞の活性化方法。
【請求項２】
iGb3が精製されているか又は合成である、請求項１記載の方法。
【請求項３】
NKT細胞の接触がNKT細胞のＴ細胞受容体を接触させることを含む、請求項１記載の方法。
【請求項４】
iGb3をCD1d分子を含む抗原提示細胞によりNKT細胞に提示する、請求項１記載の方法。
【請求項５】
抗原提示細胞が樹状細胞である、請求項４記載の方法。
【請求項６】
iGb3前駆体を抗原提示細胞に与えてiGb3を生成する、請求項４記載の方法。
【請求項７】
iGb3前駆体がiGb4である、請求項６記載の方法。
【請求項８】
NKT細胞をin vitro培養する、請求項１記載の方法。
【請求項９】
NKT細胞をex vitro培養する、請求項１記載の方法。
【請求項１０】
NKT細胞の接触が、iGb3を、NKT細胞を含む非ヒトの対象に投与することを含む、請求項１記載の方法。
【請求項１１】
対象がヒト以外の哺乳類である、請求項１０記載の方法。
【請求項１２】
サイトカインがIL-1、IL-2、IL-4、IL-5、IL-6、IL-10、IL-13、IL-15、TNF-α、TNF-β、IFN-γ及びこれらの組み合わせからなる群から選ばれる、請求項１記載の方法。
【請求項１３】
細胞表面マーカーがCD69、CD25、IL-12受容体又はCD40Lである、請求項１記載の方法。
【請求項１４】
活性化した請求項１〜１３のいずれか１項に記載のNKT細胞の、薬剤の調製のための使用。
【請求項１５】
NKT細胞からのサイトカインの分泌を誘発し、NKT細胞の増殖を刺激し、又はNKT細胞の細胞表面マーカーの発現をアップレギュレートするのに充分な量のiGb3化合物を含むことを特徴とする対象のNKT細胞を活性化するための医薬組成物。
【請求項１６】
化合物が精製又は合成iGb3である、請求項１５記載の医薬組成物。
【請求項１７】
化合物が精製又は合成iGb3前駆体である、請求項１５記載の医薬組成物。
【請求項１８】
前駆体がiGb4である、請求項１７記載の医薬組成物。
【請求項１９】
対象が癌、自己免疫疾患又は感染症を有する、請求項１５記載の医薬組成物。
【請求項２０】
サイトカインがIL-1、IL-2、IL-4、IL-5、IL-6、IL-10、IL-13、IL-15、TNF-α、TNF-β、IFN-γ及びこれらの組み合わせからなる群から選ばれる、請求項１５記載の医薬組成物。
【請求項２１】
細胞表面マーカーがIL-12受容体又はCD40Lである、請求項１５記載の医薬組成物。
【請求項２２】
NKT細胞をiGb3と接触させることを特徴とするNKT細胞からのサイトカインの分泌の誘発方法。
【請求項２３】
NKT細胞をiGb3と接触させることを特徴とするNKT細胞の増殖の刺激方法。
【請求項２４】
NKT細胞をiGb3と接触させることを特徴とするNKT細胞の細胞表面マーカーの発現のアップレギュレート方法。
【請求項２５】
対象のNKT細胞を活性化するための薬剤の調製のための、iGb3又はiGb3前駆体の使用。
【請求項２６】
iGb3又はiGb3前駆体が、精製されているか又は合成である、請求項２５に記載の使用。
【請求項２７】
前駆体が、iGb4である、請求項２５記載の使用。
【請求項２８】
薬剤が、癌、自己免疫疾患又は感染症の治療用である、請求項２５記載の使用。
【請求項２９】
NKT細胞の活性化が、サイトカインの分泌を誘発する、請求項２５記載の使用。
【請求項３０】
サイトカインがIL-1、IL-2、IL-4、IL-5、IL-6、IL-10、IL-13、IL-15、TNF-α、TNF-β、IFN-γ及びこれらの組み合わせからなる群から選ばれる、請求項２９記載の使用。
【請求項３１】
NKT細胞の活性化が、細胞表面マーカーの発現のアップレギュレートを誘発する、請求項２５記載の使用。
【請求項３２】
細胞表面マーカーがIL-12受容体又はCD40Lである、請求項３１記載の使用。
【手続補正書】
【提出日】平成20年5月30日(2008.5.30)
【手続補正１】
【補正対象書類名】特許請求の範囲
【補正対象項目名】全文
【補正方法】変更
【補正の内容】
【特許請求の範囲】
【請求項１】
以下の段階を含む、被験体におけるアテローム性動脈硬化症を評価する、またはアテローム性動脈硬化症の進行を決定する方法：
被験体からの単球を含む生物学的試料におけるFOS、DUSP1、またはFOSおよびDUSP1の双方の発現をアッセイする段階であって；
対照と比較した単球におけるFOS、DUSP1、またはFOSおよびDUSP1の双方の発現の増加により、被験体におけるアテローム性動脈硬化症が評価される段階。
【請求項２】
アテローム性動脈硬化症を評価する段階が、被験体の予後を決定する段階を含み、方法が被験体におけるアテローム性動脈硬化症の重症度を決定する、請求項1記載の方法。
【請求項３】
対照が、アテローム性動脈硬化症を有しないことが公知である1または複数の被験体における発現レベルの標準値である、請求項1記載の方法。
【請求項４】
試料が、末梢血単球、血液を含む、請求項1記載の方法。
【請求項５】
単球がアテローム性動脈硬化症病変に由来する、請求項1記載の方法。
【請求項６】
FOS、DUSP1、またはFOSおよびDUSP1の双方の発現をアッセイする段階が、FOS mRNA、DUSP1 mRNA、またはFOSおよびDUSP1 mRNAの双方の有無を評価する段階を含む、請求項1記載の方法。
【請求項７】
FOS mRNA、DUSP1 mRNA、またはFOSおよびDUSP1 mRNAの双方の有無をアッセイする段階が、ポリメラーゼ連鎖反応またはハイブリダイゼーション反応を含む、請求項6記載の方法。
【請求項８】
FOS mRNA、DUSP1 mRNA、またはFOSおよびDUSP1 mRNAの双方の有無をアッセイする段階が、逆転写酵素ポリメラーゼ連鎖反応(RT-PCR)を含む、請求項7記載の方法。
【請求項９】
FOS、DUSP1、またはFOSおよびDUSP1の双方の発現をアッセイする段階が、FOSタンパク質、DUSP1タンパク質、またはFOSおよびDUSP1タンパク質の双方の有無を評価する段階を含む、請求項1記載の方法。
【請求項１０】
FOS、DUSP1、またはFOSおよびDUSP1タンパク質の双方の有無をアッセイする段階が、FOSタンパク質に特異的に結合する抗体、DUSP1タンパク質に特異的に結合する抗体、またはFOSタンパク質に結合する抗体およびDUSP1タンパク質に結合する抗体に、単球またはその成分を接触させる段階を含む、請求項9記載の方法。
【請求項１１】
FOSタンパク質に特異的に結合する抗体、DUSP1タンパク質に特異的に結合する抗体、またはFOSタンパク質に結合する抗体およびDUSP1タンパク質に結合する抗体が直接標識される、請求項10記載の方法。
【請求項１２】
標識が放射性マーカー、蛍光マーカー、酵素、または金属である、請求項11記載の方法。
【請求項１３】
試料が末梢血、血清、または血漿である、請求項1記載の方法。
【請求項１４】
以下の段階を含む、薬剤が被験体におけるアテローム性動脈硬化症の処置に有効であるか否かを決定する方法：
薬剤の有効量を接触させた単球におけるFOS、DUSP1、またはFOSおよびDUSP1の双方の発現をアッセイする段階であって、試料中の単球におけるFOS、DUSP1、またはFOSおよびDUSP1の双方の発現の減少により、薬剤がアテローム性動脈硬化症の処置に有効であることが示される段階。
【請求項１５】
FOS、DUSP1、またはFOSおよびDUSP1の双方の発現を対照と比較する段階をさらに含む、請求項14記載の方法。
【請求項１６】
単球がインビボである、請求項14記載の方法。
【請求項１７】
単球がインビトロである、請求項14記載の方法。
【請求項１８】
単球が不死化細胞株に由来する、請求項17記載の方法。
【請求項１９】
単球がアテローム性動脈硬化症を有する被験体に由来する、請求項14記載の方法。
【請求項２０】
単球が末梢血単球である、請求項19記載の方法。
【請求項２１】
単球がアテローム性動脈硬化症病変に由来する、請求項19記載の方法。
【請求項２２】
FOS、DUSP1、またはFOSおよびDUSP1の双方の発現をアッセイする段階が、FOS mRNA、DUSP1 mRNA、またはFOSおよびDUSP1 mRNAの双方の有無を評価する段階を含む、請求項14記載の方法。
【請求項２３】
FOS mRNA、DUSP1 mRNA、またはFOSおよびDUSP1 mRNAの双方の有無をアッセイする段階が、ポリメラーゼ連鎖反応またはハイブリダイゼーションを含む、請求項22記載の方法。
【請求項２４】
FOS mRNA、DUSP1 mRNA、またはFOSおよびDUSP1 mRNAの双方の有無をアッセイする段階が、逆転写酵素ポリメラーゼ連鎖反応(RT-PCR)を含む、請求項22記載の方法。
【請求項２５】
FOS、DUSP1、またはFOSおよびDUSP1の双方の発現をアッセイする段階が、FOSタンパク質、DUSP1タンパク質、またはFOSおよびDUSP1タンパク質の双方の有無を評価する段階を含む、請求項14記載の方法。
【請求項２６】
FOSタンパク質、DUSP1タンパク質、またはFOSタンパク質およびDUSP1タンパク質の双方の有無をアッセイする段階が、FOSに特異的に結合する抗体、DUSP1タンパク質に特異的に結合する抗体、またはFOSタンパク質に結合する抗体およびDUSP1タンパク質に結合する抗体に、単球またはその成分を接触させる段階を含む、請求項25記載の方法。
【請求項２７】
FOSタンパク質に特異的に結合する抗体、DUSP1タンパク質に特異的に結合する抗体、またはFOSタンパク質に結合する抗体およびDUSP1タンパク質に結合する抗体が直接標識される、請求項25記載の方法。
【請求項２８】
標識が放射性マーカー、蛍光マーカー、酵素、または金属である、請求項27記載の方法。
【請求項２９】
FOSタンパク質、DUSP1タンパク質、またはFOSおよびDUSP1タンパク質の双方の発現を評価する段階が質量分析を含む、請求項9記載の方法。
【請求項３０】
FOSタンパク質、DUSP1タンパク質、またはFOSおよびDUSP1タンパク質の双方の発現を評価する段階が質量分析を含む、請求項25記載の方法。
【手続補正書】
【提出日】平成20年6月6日(2008.6.6)
【手続補正１】
【補正対象書類名】特許請求の範囲
【補正対象項目名】全文
【補正方法】変更
【補正の内容】
【特許請求の範囲】
【請求項１】
電磁（ＥＭ）エネルギを通す基準導電性層と、
少なくとも１つのスロット開口を備える放射導電性層と、
前記基準導電性層と前記放射導電性層との間に配設された１又はそれより多くの中間導電性層と、
２又はそれより多くの誘電体層と、を備え、
前記２又はそれより多くの誘電体層が、前記基準導電性層と前記１又はそれより多くの中間導電性層との間に配設された第１の誘電体層と、前記１又はそれより多くの中間導電性層と前記放射導電性層との間に配設された第２の誘電体層とを少なくとも備え、
前記１又はそれより多くの中間導電性層のそれぞれが、実質的に導電性材料が無い少なくとも１つの開口を備える、アンテナ。
【請求項２】
前記基準導電性層と前記１又はそれより多くの中間導電性層と前記放射導電性層とを電気的に結合する１又はそれより多くの導電性構造を更に備える請求項１記載のアンテナ。
【請求項３】
前記１又はそれより多くの導電性構造が、前記基準導電性層と前記１又はそれより多くの中間導電性層と前記放射導電性層とを結合する少なくとも１つのビアを備える請求項２記載のアンテナ。
【請求項４】
基準導電性層を形成するステップと、
少なくとも１つのスロット開口を有する放射導電性層を形成するステップと、
複数の層を備える共振空洞を形成するステップであって、各層が、実質的に導電性材料が無い少なくとも１つの開口を有する導電性金属層と、前記導電性金属層に隣接した誘電体層とを備える、前記共振空洞を形成するステップと
を備える方法。
【請求項５】
前記共振空洞の前記基準導電性層、前記放射導電性層及び導電性金属層を電気的に結合するための１又はそれより多くの導電性構造を形成するステップを更に備える請求項１０記載の方法。
【手続補正書】
【提出日】平成20年8月27日(2008.8.27)
【手続補正１】
【補正対象書類名】特許請求の範囲
【補正対象項目名】全文
【補正方法】変更
【補正の内容】
【特許請求の範囲】
【請求項１】
供給電圧のための２つの入力と、信号を出力するための１つの出力とを含む前記２つの供給電圧を比較するためのデバイスであって、
前記デバイスは、互いに調整された２つの電圧／電流変換器と、２つのそれぞれ関連付けられたカレントミラーとを有し、
反射された電流のための電流比較器が備えられ、
２つのデジタル出力を有するインバータが、前記出力に配置されることを特徴とするデバイス。
【請求項２】
前記電流比較器は、ＰＭＯＳトランジスタと、ＮＭＯＳトランジスタとを含むことを特徴とする請求項１に記載のデバイス。
【請求項３】
前記反射された電流の１つは、前記ＰＭＯＳトランジスタを通過させられることが可能であり、前記反射された電流の他方は、前記ＮＭＯＳトランジスタを通過させられることが可能であることを特徴とする請求項２に記載のデバイス。
【請求項４】
電位または地電位が、前記電流比較器の前記出力において生じさせられることが可能であることを特徴とする請求項１から３のいずれかに記載のデバイス。
【請求項５】
前記カレントミラーのミラー比が、設定されることが可能であることを特徴とする請求項１から４のいずれかに記載のデバイス。
【請求項６】
デバイスにおいて、供給電圧が、２つの入力に印加され、信号が、出力において出力される前記２つの供給電圧を比較する方法であって、
前記供給電圧は、互いに調整された２つの電圧／電流変換器において電流に変換され、これらの電流は、２つのカレントミラーにおいて反射されて、電流を形成し、前記反射された電流は、電流比較器において比較され、デジタル出力信号が、２つのデジタル出力を有するインバータにおける前記出力において生成されることを特徴とする方法。
【請求項７】
前記電流比較器において、前記電流は、ＰＭＯＳトランジスタおよびＮＭＯＳトランジスタを通過させられることを特徴とする請求項６に記載の方法。
【請求項８】
前記第１の反射された電流は、前記ＰＭＯＳトランジスタを通過させられ、前記第２の反射された電流は、前記ＮＭＯＳトランジスタを通過させられることを特徴とする請求項７に記載の方法。
【請求項９】
前記供給電圧の電位、または地電位が、前記電流比較器の前記出力において生じさせられることを特徴とする請求項６から８のいずれかに記載の方法。
【請求項１０】
前記カレントミラーのミラー比が、設定されることを特徴とする請求項６から９のいずれかに記載の方法。
【手続補正書】
【提出日】平成20年8月19日(2008.8.19)
【手続補正１】
【補正対象書類名】特許請求の範囲
【補正対象項目名】全文
【補正方法】変更
【補正の内容】
【特許請求の範囲】
【請求項１】
以下の構成を備える加熱・熱処理システム：
底部、ルーフおよび一つまたは複数の壁を備えるファーネスハウジングと該ファーネスハウジング内にあるファーネスチャンバ；
熱処理するマテリアルズを支持するために前記ファーネスチャンバ内に配置される支持アッセンブリー；
前記ファーネスチャンバ内の前記マテリアルズを加熱する熱源；および
前記ファーネスチャンバの壁面またはルーフ面に配置され、前記ファーネスチャンバ内にガスを循環させる少なくとも一つのスロットつきエダクタであって、ガス供給源と連通している前記スロットつきエダクタ。
【請求項２】
前記スロットつきエダクタは、前記ファーネスチャンバの壁に位置して前記ファーネスチャンバのルーフから下方へのびているスロットおよび前記スロットの上端に位置し、前記スロットにそって高速に流れるガス流を発生させ、前記ファーネスチャンバ内のガスを巻き込んで前記ファーネスチャンバ内で大量のガスを循環させるガス入口を備えている請求項１のシステム。
【請求項３】
前記ガス入口で円錐ジェットガス流を発生させる請求項２のシステム。
【請求項４】
前記ガス入口でシート状のガス流を発生させる請求項２のシステム。
【請求項５】
前記スロットは、前記スロットの最も大径の断面寸法よりも少なくとも１０倍の長さになっている請求項２のシステム。
【請求項６】
前記スロットの断面形状は、方形、矩形、円形、曲面形状、側面が真っすぐな形状またはＶ形状になっている請求項２のシステム。
【請求項７】
前記スロットは、前記ファーネスチャンバの二つの壁の間のコーナーにある請求項２のシステム。
【請求項８】
さらに複数のスロットつきエダクタを備える請求項１のシステム。
【請求項９】
さらに複数のスロットつきエダクタが前記ファーネスチャンバの第１の側面と第２の側面にあって、前記ファーネスチャンバ内に均一なガス雰囲気をつくる請求項１のシステム。
【請求項１０】
さらに炉床、該炉床を経て前記ファーネスチャンバの一方の側面から前記ファーネスチャンバの他方の側面へ達する複数の開口部を備え；そして
前記ファーネスチャンバの第１と第２の側面にある複数のスロットつきエダクタが複数の対で構成され、前記ファーネスチャンバのそれぞれの側のスロットつきエダクタの各対が前記炉床を通るそれぞれの開口部に対し整列しているものである請求項９のシステム。
【請求項１１】
さらに複数のチューブ状のエダクタを備え、各エダクタは、前記ファーネスハウジングのそれぞれの側壁の空所に配置され、前記炉床を通るそれぞれの開口部に対面している請求項１０のシステム。
【請求項１２】
複数のチューブ状のエダクタの各エダクタは、ガス供給源と連通しているノズルをもつチューブ状本体を含み、高速ガス流を前記ファーネスチャンバ内に供給し、前記ファーネスチャンバ内のガスをまきこんで前記ファーネスチャンバ内に大量のガスを循環させる請求項１１のシステム。
【請求項１３】
コントローラの作動で前記エダクタへのガスの供給を制御する請求項１のシステム。
【請求項１４】
さらにコントローラの作動で前記熱源を制御して、加熱サイクルの間の加熱プロファイルを意図するようにする請求項１のシステム。
【請求項１５】
コントローラの作動で前記スロットつきエダクタのガス流を制御する請求項１４のシステム。
【請求項１６】
前記スロットつきエダクタの作動で熱サイクルのある部分の間、前記マテリアルズを強制対流冷却する請求項１のシステム。
【請求項１７】
前記ファーネスチャンバの各側にある少なくとも一つのスロットつきエダクタが前記チャンバ内にガスを均一に循環させ、前記マテリアルズを均一に加熱させるように交互に動作するようになっている請求項１のシステム。
【請求項１８】
前記加熱源が前記ファーネスチャンバ内に配置されている一つまたは複数の電気ヒーター類である請求項１のシステム。
【請求項１９】
前記加熱源が前記ファーネスチャンバ内に配置されている一つまたは複数のマイクロウエーブ・ヒーター類を含む請求項１のシステム。
【請求項２０】
前記ファーネスチャンバがバッチ式ファーネス内にあって、処理のために前記マテリアルズを前記チャンバ内に入れ、処理後は前記マテリアルズを出す構成の請求項１のシステム。
【請求項２１】
前記ファーネスチャンバは、連続のファーネス内にあって、処理サイクルの間、マテリアルズが該チャンバ内を搬送通過するようになっている請求項１のシステム。
【請求項２２】
前記支持アッセンブリーは、熱処理するマテリズアルズを積みおろしする下位位置と、該マテリアルズを前記ファーネスチャンバ内に位置させる上位位置との間を動く昇降炉床を含む請求項１のシステム。
【請求項２３】
前記スロットつきエダクタは、前記ファーネスチャンバのルーフから下方へ下がる前記ファーネスチャンバの壁の一部からなり、ガスノズルが前記ルーフの壁の一部の上端に配置され、前記壁の一部にそって高速のガス流が流れて前記ファーネスチャンバ内のガスをまきこみ、前記ファーネスチャンバ内に大量のガスを循環させる請求項１のシステム。
【請求項２４】
前記スロットつきエダクタは、前記ファーネスチャンバの壁またはルーフ表面に配置されるスロットからなり、前記スロットの一端にはガス入り口が位置し、前記スロットにそって高速のガス流が流れて前記ファーネスチャンバ内のガスをまきこみ、前記ファーネスチャンバ内に大量のガスを循環させる請求項１のシステム。
【手続補正２】
【補正対象書類名】明細書
【補正対象項目名】０００５
【補正方法】変更
【補正の内容】
【０００５】
［発明の詳細な記述］
図面を参照すると、図１、２は、スロットつきエダクタの一実施例のそれぞれ等距離図と側方断面図である。矩形断面のスロット１０は、ファーネスチャンバの壁１２に形成されている。このスロットは、下方へ向かってスロープがついている端部１４を有し、これは、該スロットの下方部における壁面１２に対し斜面またはランプになっている。前記スロットの上端は、前記ファーネスチャンバのルーフ部分にあり、この部分において、ガス入口またはガスノズルが位置して前記スロットの長さにそってガスを高速で下方へ導くようになっている。このガスの高速の流れによって、前記ファーネスチャンバからガスがまきこまれてガスの量が増量され、前記スロットの底部近くから排出され、該スロットから前記チャンバ内へ流れる。前記スロットの長さと断面寸法により、特定設備のファーネスチャンバ内において意図するガスの増量度合いと循環度合いが図れる。
【手続補正書】
【提出日】平成20年8月21日(2008.8.21)
【手続補正１】
【補正対象書類名】特許請求の範囲
【補正対象項目名】全文
【補正方法】変更
【補正の内容】
【特許請求の範囲】
【請求項１】
クロマトグラフィカラムのための液体ディストリビューターおよび液体コレクターであって、
少なくとも１つの流入用または流出用開口部、および、前記流入用または流出用開口部と、カラム充填部へと開口した等間隔に設けられた開口部とを接続する液体通路（フローチャンネル）を有して成り、
液体ディストリビューターまたは液体コレクターにおける流入から流出までに要する流れ時間が、異なる前記液体通路（フローチャンネル）を介した場合でも同一であることを特徴とする液体ディストリビューターおよび液体コレクター。
【請求項２】
金属またはプラスチックから成るワークピースを機械加工して液体通路（フローチャンネル）および開口部を設け、
数値流動シミュレーションを用いて滞留時間および体積流量が等しいフローチャンネルを設計することを特徴とする、請求項１に記載の液体ディストリビューターおよび液体コレクターを製造する方法。
【請求項３】
分析クロマトグラフィーおよび分取クロマトグラフィーのための、請求項１に記載の液体ディストリビューターおよび液体コレクターまたは請求項１に記載の液体ディストリビューターおよび液体コレクターを有して成るクロマトグラフィカラムの使用。
【請求項４】
請求項１に記載の液体ディストリビューターおよび液体コレクターにおいて均一な分配を向上させるためのフリットの使用。
【手続補正２】
【補正対象書類名】明細書
【補正対象項目名】００２７
【補正方法】変更
【補正の内容】
【００２７】
添付図面には本発明の態様が例示的に表されている。尚、上述した本発明は、次の態様をも包含することに留意されたい。
第１の態様：クロマトグラフィカラムのための液体ディストリビューターおよび液体コレクターであって、
少なくとも１つの流入用または流出用開口部、および、前記流入用または流出用開口部と、カラム充填部へと開口した等間隔に設けられた開口部とを接続する液体通路（フローチャンネル）を有して成り、
液体ディストリビューターまたは液体コレクターにおける流入から流出までに要する流れ時間が、異なる前記液体通路（フローチャンネル）を介した場合でも同一であることを特徴とする液体ディストリビューターおよび液体コレクター。
第２の態様：上記第１の態様において、各々の開口部における質量流量が実質的に等しいことを特徴とする、液体ディストリビューターおよび液体コレクター。
第３の態様：上記第１又は第２の態様において、液体通路（フローチャンネル）の幾つかが対称的なＴ分岐形状を有しており、残りの液体通路（フローチャンネル）が非対称なＴ形状を有していることを特徴とする、液体ディストリビューターおよび液体コレクター。
第４の態様：上記第１〜３の態様のいずれかにおいて、各々の開口部に対するカラム充填部の断面積が５０〜５０００ｍｍ２であることを特徴とする、液体ディストリビューターおよび液体コレクター。
第５の態様：上記第１〜４の態様のいずれかにおいて、液体通路（フローチャンネル）が１つの平面上に配置されている、液体ディストリビューターおよび液体コレクター。 
第６の態様：上記第１〜５の態様のいずれかにおいて、液体ディストリビューターまたは液体コレクターの断面が円形または矩形となっている、液体ディストリビューターおよび液体コレクター。
第７の態様：上記第１の態様の液体ディストリビューターおよび液体コレクターを製造する方法であって、
金属またはプラスチックから成るワークピースを機械加工して液体通路（フローチャンネル）および開口部を設け、
数値流動シミュレーションを用いて滞留時間および体積流量が等しいフローチャンネルを設計することを特徴とする方法。
第８の態様：上記第１の態様の液体ディストリビューターおよび液体コレクターを有して成るクロマトグラフィカラム。
第９の態様：分析クロマトグラフィーおよび分取クロマトグラフィーのための、上記第１〜７の態様のいずれかに記載の液体ディストリビューターおよび液体コレクターまたは上記第８の態様のクロマトグラフィカラムの使用。
第１０の態様：上記第１〜７の態様のいずれかの液体ディストリビューターおよび液体コレクターにおいて均一な分配を向上させるためのフリットの使用。
【手続補正書】
【提出日】平成20年8月26日(2008.8.26)
【手続補正１】
【補正対象書類名】特許請求の範囲
【補正対象項目名】全文
【補正方法】変更
【補正の内容】
【特許請求の範囲】
【請求項１】
懸濁物中の触媒物質についての特性数を決定する方法であって、常時攪拌した反応混合物中に浸した測定電極と参照電極との間の電位差およびこの差の経時変動および／または変化を決定することを含む、方法。
【請求項２】
生成物を製造する方法であって、請求項１に記載のように決定した特性数にしたがって選択または最適化した少なくとも一つの触媒を使用することを特徴とする、方法。
【請求項３】
触媒を製造する方法であって、請求項１に記載のように決定した特性数にしたがって最適化を行うことを特徴とする、方法。
【請求項４】
有限数の利用可能な触媒から所定の反応用の触媒を選択する方法であって、請求項１に記載されるように決定した特性数に基づいて選択を行うことを特徴とする、方法。
【手続補正２】
【補正対象書類名】明細書
【補正対象項目名】００２３
【補正方法】変更
【補正の内容】
【００２３】
さらに、本発明の方法は、本発明の方法により決定した特性数にしたがって選択または最適化した触媒を使用する方法による、生成物の製造、特に化学医薬品産業における生成物の製造に高度に適当である。
また、本発明の方法は、これらの方法およびそれらの生成物を最適化するための触媒を製造する方法にも使用することができる。
最後に、本発明の方法は、有限数の利用可能な触媒から特定の目的に適当な触媒を選択するためにも使用することができる。
これらの方法およびそれらの生成物は、同様に、本特許出願の主題である。
本発明の好適な実施態様には、以下のものが含まれる。
〔１〕  懸濁物中の触媒物質についての特性数を決定する方法であって、常時攪拌した反応混合物中に浸した測定電極と参照電極との間の電位差およびこの差の経時変動および／または変化を決定することを含む、方法。
〔２〕  緩衝溶液中の触媒の品質を決定する方法であって、上記〔１〕に記載の触媒の特性数を決定する方法を使用して、出発材料の添加により生じる電位差および緩和時間を測定し、および、触媒使用量に対して規格化した出発材料の特定の添加量を特徴付ける緩和時間（Ｋ１）および／または出発材料添加量に対する緩和時間のプロットからの触媒量に対して規格化した傾き（Ｋ２）および／または上記プロットからの出発材料供給量＝０でのｙ軸上の切片（Ｋ３）を特性数として決定することを特徴とする、方法。
〔３〕  緩衝溶液中の水素化触媒の品質を決定する方法であって、上記〔１〕に記載の触媒の特性数を決定する方法を使用して、出発材料の添加により生じる電位差および緩和時間を測定し、および触媒の特定量についての出発材料の最大添加可能量（Ｋ４）を特性数として決定することを特徴とする、方法。
〔４〕  品質特性（Ｑ１、Ｑ２など）、例えば、活性、活性化能または活性化時間および／または動作寿命を、決定した特性数（Ｋ１、Ｋ２など）に割り当てることを特徴とする、上記〔２〕または〔３〕に記載の方法。
〔５〕  担持または非担持のいずれかの、純粋形態、ドープ形態、合金形態および／または混合物の形態のいずれかの金属触媒を、触媒物質として使用することを特徴とする、上記〔１〕〜〔４〕のいずれかに記載の方法。
〔６〕  反応は、水素化反応であることを特徴とする、上記〔１〕〜〔５〕のいずれかに記載の方法。
〔７〕  特性数の決定を、オンラインで、および／または自動的に、および／または並列処理で行うことを特徴とする、上記〔１〕〜〔６〕のいずれかに記載の方法。
〔８〕  生成物を製造する方法であって、上記〔１〕に記載のように決定した特性数にしたがって選択または最適化した少なくとも一つの触媒を使用することを特徴とする、方法。
〔９〕  触媒を製造する方法であって、上記〔１〕に記載のように決定した特性数にしたがって最適化を行うことを特徴とする、方法。
〔１０〕  有限数の利用可能な触媒から所定の反応用の触媒を選択する方法であって、上記〔１〕に記載されるように決定した特性数に基づいて選択を行うことを特徴とする、方法。
本発明を以下の実施例により図面を用いて説明するが、本発明はこれらに限定されるものではない。
【手続補正書】
【提出日】平成20年7月31日(2008.7.31)
【手続補正１】
【補正対象書類名】特許請求の範囲
【補正対象項目名】全文
【補正方法】変更
【補正の内容】
【特許請求の範囲】
【請求項１】
第２のパイプ部分の差し込み端部（２）を収容するために適応されるソケット端部（１）が設けられたパイプ部分であって、前記差し込み端部（２）の外側には、密閉リング（５）が設けられ、
前記ソケット端部（１）の内側は、前記ソケット端部（１）の端縁（１１）から見て、斜めにテーパー状をした部分（１３）を備えており、当該テーパー状をした部分（１３）は、前記ソケット端部（１）の内側の円周に沿って延び、かつ、前記差し込み端部（２）が前記ソケット端部（１）に差し込まれたときに、前記密閉リング（５）を変形させるために、前記ソケット端部（１）の中心軸線（１２）に向かって斜めにテーパー状をしており、
前記ソケット端部（１）の内側は、前記斜めにテーパー状をした部分（１３）よりも前記端縁（１１）から内側で、かつ、当該斜めにテーパー状をした部分（１３）に隣接する円筒形部（１４）を有し、
前記斜めにテーパー状をした部分（１３）は、当該斜めにテーパー状をした部分（１３）の円周上に規則的に配置された少なくとも２つの領域（１５）を有し、前記各領域（１５）は、円周方向に見たとき、中央（１８）及び側部（１６、１７）を有し、
前記領域（１５）の前記各側部（１６、１７）に沿って、前記斜めにテーパー状をした部分（１３）は、前記ソケット端部（１）の中心軸線（１２）に対して第１の角度（α１）であり、
前記領域（１５）の前記中央（１８）は、少なくとも部分的に、前記ソケット端部の前記中心軸（１２）に対して第２の角度（α２）であり、
前記第２の角度（α２）は、前記第１の角度（α１）より小さく、
隣接する前記端縁（１１）に位置する部分（１９）であって、前記各側部（１６、１７）と各領域（１５）の中央（１８）との間に延びる部分（１９）では、前記斜めにテーパー状をした部分（１３）が、前記第１の角度（α１）で配置されており、
隣接した部分（２０）であって、前記ソケット端部の前記円筒形部（１４）の側部上の前記部分（１９）に隣接する部分（２０）では、前記斜めにテーパー状をした部分（１３）が、前記第２の角度（α２）で配置されており、
前記第２の角度（α２）で配置された隣接した部分（２０）の軸方向の長さは、前記各側部（１６、１７）から前記領域（１５）の中央（１８）に向かって徐々に長くなることを特徴とするパイプ部分。
【請求項２】
前記隣接した部分（２０）は、前記領域（１５）の前記中央（１８）で、前記ソケット端部（１）の自由縁（１１）に隣接する請求項１に記載のパイプ部分（図７）。
【請求項３】
前記斜めにテーパー状をした部分（１３）は、円周方向に見たとき、隣接する領域（１５）の間に位置する領域（２１）では、前記中心軸（１２）に対して前記第１の角度（α１）である請求項１又は２に記載のパイプ部分（図３）。
【手続補正２】
【補正対象書類名】明細書
【補正対象項目名】０００５
【補正方法】変更
【補正の内容】
【０００５】
この目的は、請求項１に記載の発明によって達成される。
【手続補正３】
【補正対象書類名】明細書
【補正対象項目名】００１１
【補正方法】変更
【補正の内容】
【００１１】
端縁１１から見たソケット端部１の内側に、ソケット端部１の中心軸線１２に向かって斜めにテーパー状をした部分１３を有し、その目的は、差し込み端部２をソケット端部１内に差し込み、隣接する円筒形部１４を有するときに密閉リング５の外径を小さくすることである。
【手続補正４】
【補正対象書類名】明細書
【補正対象項目名】００１５
【補正方法】変更
【補正の内容】
【００１５】
ソケット端部１（図２を参照）の領域１５の寸法について以下のことが成り立つ。上述の角度α１および角度α２の構成を有する端縁１１の場所におけるソケット端部１の円筒形部１４の内径をＤ１、斜めにテーパー状をした部分１３の内径をＤ２とした場合、端縁１１の場所における角度α２の部分の半径をＲ１とする。半径Ｒ１は、ソケット端部の中心軸線１２から距離Ｒ２の箇所から始まる。この場合、以下のことが成り立つ。
−ソケット端部の端縁１１において、Ｒ１＝（０．２５〜０．５）Ｄ１、好ましくは（０．３〜０．３５）Ｄ１、
−α１＝（０．３〜０．５）α２、
−Ｒ１＋Ｒ２＝０．５Ｄ２、
−角度α１の領域２１は、ソケット端部の円周の３０％未満を占め（これは、Ｒ１の選択により異なることは、明らかである）、
−好ましくは、斜めにテーパー状をした部分１３から円筒形部１４にかけて、３ｍｍから１０ｍｍの半径の丸みが設けられる。
【手続補正書】
【提出日】平成20年7月3日(2008.7.3)
【手続補正１】
【補正対象書類名】特許請求の範囲
【補正対象項目名】全文
【補正方法】変更
【補正の内容】
【特許請求の範囲】
【請求項１】
フェルールタイプチューブ継手のための内在的ゲージングアセンブリであって：
結合本体であって、ねじ山のある端部、および該結合本体に含まれる少なくとも１つのフェルールの鼻部に係合するカム作用面を有する結合本体；
該結合本体のねじ山のある端部で嵌合するねじ山結合ナット；
該継手が指できつく締められる状態にあるときに見える該ねじ山結合ナットの本体上の視覚によって認知し得るマーキングであって、初期止め位置に対応する、視覚によって認知し得るマーキング、を備える、内在的ゲージングアセンブリ。
【請求項２】
前記マーキングが、前記継手がチューブ端部上で前記初期止め位置にアセンブルされた後には実質的に認知不能になる、請求項１に記載の内在的ゲージングアセンブリ。
【請求項３】
前記視覚によって認知し得るマーキングが、刻み付けである、請求項１に記載の内在的ゲージングアセンブリ。
【請求項４】
前記視覚によって認知し得るマーキングが、着色領域である、請求項１に記載の内在的ゲージングアセンブリ。
【請求項５】
前記視覚によって認知し得るマーキングが、着色バンドである、請求項１に記載の内在的ゲージングアセンブリ。
【請求項６】
前記視覚によって認知し得るマーキングが、リングである、請求項１に記載の内在的ゲージングアセンブリ。
【請求項７】
前記視覚によって認知し得るマーキングが、１つ以上のエッチングである、請求項１に記載の内在的ゲージングアセンブリ。
【請求項８】
前記視覚によって認知し得るマーキングが、溝である、請求項１に記載の内在的ゲージングアセンブリ。
【請求項９】
前記視覚によって認知し得るマーキングが、凹部である、請求項１に記載の内在的ゲージングアセンブリ。
【請求項１０】
前記視覚によって認知し得るマーキングが、前記結合ナットの首部分上にある、請求項１に記載の内在的ゲージングアセンブリ。
【請求項１１】
前記結合本体の一部分が、加工硬化される、請求項１に記載の内在的ゲージングアセンブリ。
【請求項１２】
前記結合本体のねじ山のある端部が、めねじのある端部であり、そして前記ねじ山結合ナットが、おねじのある結合ナットである、請求項１に記載の内在的ゲージングアセンブリ。
【請求項１３】
前記マーキングが、第１の区分および第２の区分を含み；ここで、該第１の区分が初期止め位置に対応し、そして該第２の区分が引き続く再配置位置に対応する、請求項１に記載の内在的ゲージングアセンブリ。
【請求項１４】
前記ねじ山結合ナットが、前記結合本体のねじ山端部と嵌合するねじ山部分を有するねじ山スタッド部材を備え；
前記マーキングが、前記ねじ山スタッド部材のねじ山部分の端部、および該ねじ山スタッド部材の端部を含み、ここで、該ねじ山スタッド部材のねじ山部分の端部および該ねじ山スタッド部材の端部が、それらの間に軸方向長さを有し、該長さが、前記アセンブリの止めに関する情報を提供し；そして
該ねじ山スタッド部材が、該ねじ山スタッド部材のねじ山部分の端部が、該結合本体の前面と整列するとき、指できつく締められる位置にあり、そして該ねじ山スタッド部材の端部が該結合部材の前面と整列するとき止め位置にある、
請求項１に記載の内在的ゲージングアセンブリ。
【請求項１５】
前記ねじ山結合ナットが、前記結合本体のねじ山端部と嵌合するねじ山部分を有するねじ山スタッド部材を備え；
前記マーキングが、該ねじ山スタッド部材のねじ山部分の端部、および該ねじ山スタッド部材の端部を含み、ここで、該ねじ山スタッド部材のねじ山部分の端部および該ねじ山スタッド部材の端部が、それらの間に軸方向長さを有し、該長さが、前記アセンブリの止めに関する情報を提供し；そして
該ねじ山スタッド部材が、前記ねじ山スタッド部材のねじ山部分の遠位端が該結合本体の前面と整列するとき初期止め位置にあり、そして該ねじ山スタッド部材の端部が該結合本体の前面と整列するとき引き続く再配置位置にある、
請求項１に記載の内在的ゲージングアセンブリ。
【請求項１６】
前記マーキングが、
（ｉ）指できつく締められる位置を示す第１の区分；
（ｉｉ）初期止め位置を示す第２の区分；および
（ｉｉｉ）引き続く再配置位置を示す第３の区分、
を備える、請求項１に記載の内在的ゲージングアセンブリ。
【請求項１７】
前記視覚によって認知し得るマーキングが、潤滑剤を備える、請求項１に記載の内在的ゲージングアセンブリ。
【請求項１８】
前記視覚によって認知し得るマーキングが、ねじ山付き潤滑剤を備える、請求項１７に記載の内在的ゲージングアセンブリ。
【請求項１９】
前記潤滑剤が、目立つ色を有する、請求項１７に記載の内在的ゲージングアセンブリ。
【請求項２０】
前記潤滑剤が、タングステンまたはモリブデンジスルフィドである、請求項１７に記載の内在的ゲージングアセンブリ。
【請求項２１】
フェルールタイプチューブ継手において結合本体への結合ナットの適切な止めをゲージングするための方法であって、
ａ．視覚によって認知し得るマーキングを該結合本体に形成する工程であって、該マーキングが、該結合本体に関連するねじ山のセットに付与された潤滑剤を含む、工程；
ｂ．該形成する工程が、該マーキングを、初期止めのための該結合本体に対する該結合ナットの所定の軸方向転位に対応させて付与する工程を包含する、工程；および
ｃ．該マーキングが該結合ナットによって実質的に覆われるまで、該結合ナットを該結合本体上にアセンブルする工程、
を包含する、方法。
【手続補正書】
【提出日】平成20年9月1日(2008.9.1)
【手続補正１】
【補正対象書類名】特許請求の範囲
【補正対象項目名】全文
【補正方法】変更
【補正の内容】
【特許請求の範囲】
【請求項１】
フラクションコレクターであって、
支持装置と、
支持装置によって可動に支持されたキャリッジと、
キャリッジに結合された延長アームと、
延長アームに可動に結合されたディスペンス・ヘッドと、を備え、
ディスペンス・ヘッド及びキャリッジは、第１の平面において、支持装置に対して動くことができ、
支持装置に可動に結合された収集ベッドを備え、収集ベッドは、第１の平面に対して垂直である第２の平面において、支持装置を動かすことなく、可動になっている、
ことを特徴とするフラクションコレクター。
【請求項２】
左側脚部は第１のペグを備え、右側脚部は第２のペグを備え、収集ベッドアームはそれぞれ、第１のペグ又は第２のペグを受けるようにデザインされた固定箇所を備えている請求項１記載のフラクションコレクター。
【請求項３】
固定箇所はスロットになっている請求項２記載のフラクションコレクター。
【請求項４】
固定箇所は孔になっている請求項２記載のフラクションコレクター。
【請求項５】
第１のペグ及び第２のペグは固定されている請求項２記載のフラクションコレクター。
【請求項６】
左側脚部は第１の孔を備え、右側脚部は第２の孔を備え、収集ベッドアームはそれぞれ固定箇所を備え、第１の孔と第２の孔と固定箇所とは、ペグを受け入れるようにデザインされている請求項１記載のフラクションコレクター。
【請求項７】
右側脚部と左側脚部とは、外側チャネルを具備し、収集ベッドアームは、外側チャネルに挿入可能になっている請求項１記載のフラクションコレクター。
【請求項８】
右側脚部と左側脚部とは、内部チャネルを具備し、収集ベッドアームは、内部チャネルに挿入可能になっている請求項１記載のフラクションコレクター。
【請求項９】
ロッドをさらに備え、収集ベッドアームは、ロッドの端部を受け入れ可能な孔を具備し、第１の脚部及び右側脚部は、収集ベッドとは反対側の縁部に沿って、ロッドを支持可能な溝部を具備している請求項１記載のフラクションコレクター。
【請求項１０】
収集ベッドアームは、トレイ領域に対して斜めに配置されている請求項９記載のフラクションコレクター。
【請求項１１】
右側脚部及び左側脚部は、収集ベッドを支持するための溝部をさらに備えている請求項９記載のフラクションコレクター。
【請求項１２】
収集ベッドは後部縁部を備え、後部縁部は、溝部に合致する相補的な形状を備えている請求項１１記載のフラクションコレクター。
【請求項１３】
フラクションコレクターであって、
支持装置と、
支持装置によって可動に支持されたキャリッジと、
キャリッジに結合された延長アームと、
延長アームに可動に結合されたディスペンス・ヘッドと、を備え、
ディスペンス・ヘッド及びキャリッジは、第１の平面において、支持装置に対して動くことができ、
上記フラクションコレクターは、機械化された昇降機と、この機械化された昇降機に取り付けられた収集ベッドと、をさらに備え、収集ベッドは、第１の平面に対して垂直である第２の平面において、機械化された昇降機を用いて、支持装置を動かすことなく、可動になっている、
ことを特徴とするフラクションコレクター。
【請求項１４】
フラクションコレクターを使用するための方法であって、
フラクションコレクターのディスペンス・ヘッドから、収集ベッドの適切な変位を決定する段階と、
機械化された昇降機を用いて、収集ベッドをディスペンス・ヘッドと整列させる段階と、
を備えていることを特徴とする方法。
【請求項１５】
フラクションコレクターを使用するための方法であって、
フラクションコレクターのディスペンス・ヘッドから、収集ベッドの適切な変位を決定する段階と、
収集ベッドをディスペンス・ヘッドと整列させる段階と、
整列された収集ベッドをフラクションコレクターの支持装置に取り付ける段階と、
を備えていることを特徴とする方法。
【手続補正書】
【提出日】平成20年4月24日(2008.4.24)
【手続補正１】
【補正対象書類名】特許請求の範囲
【補正対象項目名】全文
【補正方法】変更
【補正の内容】
【特許請求の範囲】
【請求項１】
コアストリームを含むように流路に近くに光ビームを送るための光源配置（２２、３００、３０２、３５０）と、
前記流路（５０）に近くにある検出機構（２４、３００、３０２、３５０）と、
互いに関して前記光ビームおよびコアストリーム（１６０）をシフトするためのアライメントアフェクタとを備え、
前記検出機構は、前記光ビームと前記コアストリームとの間のアライメントに関して光を検出し、前記コアストリーム（１６０）についての情報を含む光を検出する、
検出システム。
【請求項２】
光ビームを流路（５０）に放射するステップと、
前記流路内のコアストリーム（１６０）から光を検出するステップと、
検出された光に従って前記光ビームと前記コアストリーム（１６０）のアライメントを調整するステップと、
検出された光から前記コアストリーム（１６０）に関する情報を取得するステップと、
を含み、前記光ビームと前記コアストリームとのアライメントを調整するための前記光、および前記コアストリーム（１６０）に関する情報を取得するための前記光は、１つの検出機構（２４、３００、３０２、３５０）により検出されるアライメントおよびパラメータ検出の方法。
【請求項３】
光ビームを流路（５０）に放射する手段（２２、３００、３０２、３５０）と、
前記流路におけるコアストリーム（１６０）により散乱された光を検出する手段と、
前記光を検出する手段から検出された光により前記光ビームと前記コアストリームとの間のアライメント量を決定する手段と、
検出された光により前記光ビームと前記コアストリーム（１６０）との間のアライメント量を変化させる手段と、
検出された光から前記コアストリーム（１６０）に関するパラメータ情報を取得する手段（４０）と、
を備えるアライメントおよびパラメータ検出の手段。
【請求項４】
流路（５０）に近くに光ビームを送るための光源機構（２２、３００、３０２、３５０）と、
前記流路に近くにある検出機構（２４、３００、３０２、３５０）と、
前記検出機構からの検出された光により、前記流路（５０）に関して前記光ビームのアライメントを調整する第１のアライメントメカニズムと、
前記検出機構からの検出された光により、前記流路（５０）のコアストリーム（１６０）に関して前記光ビームのアライメントを調整する第２のアライメントメカニズムと、
前記検出機構からの検出された光により、前記コアストリーム（１６０）のパラメータを決定するパラメータメカニズム（４０）と、
を備える検出システム。
【手続補正書】
【提出日】平成20年9月2日(2008.9.2)
【手続補正１】
【補正対象書類名】明細書
【補正対象項目名】００２７
【補正方法】変更
【補正の内容】
【００２７】
移植対象とは、ドナーから、好ましくは同種から組織または臓器、例えば腎臓、心臓、肺、心臓および肺の組合せ、肝臓、膵臓、腸（例えば、大腸、小腸、十二指腸）、神経組織、膵島、肢を受け取った対象を意味する。
【手続補正２】
【補正対象書類名】明細書
【補正対象項目名】００３９
【補正方法】変更
【補正の内容】
【００３９】
ＲＮＡ抽出：全血をＥＤＴＡ−ＥＴチューブ（Ｓａｒｓｔｅｄｔ）に回収し、２アリコート（２ｍｌ、０．２５ｍｌ）を、各々Ｃａ２＋／Ｍｇ２＋非含有の同量のＰＢＳで満たした１５ｍｌ  Ｆａｌｃｏｎまたは２ｍｌ  エッペンドルフチューブに各々移す。混合後、同量のＮｕｃｌｅｉｃ  Ａｃｉｄ  Ｐｕｒｉｆｉｃａｔｉｏｎ  Ｌｙｓｉｓ  Ｓｏｌｕｔｉｏｎ（Ａｐｐｌｉｅｄ  Ｂｉｏｓｙｓｔｅｍｓ）を加え、チューブをボルテックスし、−２０℃で保存する。全ＲＮＡを製造業者の指示にしたがって６１００  Ｎｕｃｌｅｉｃ  Ａｃｉｄ  ＰｒｅｐＳｔａｔｉｏｎ（Ａｐｐｌｉｅｄ  Ｂｉｏｓｙｓｔｅｍｓ）により、血液溶解物から抽出する。腎臓皮質同種異系移植片サンプルをＲＮＡｌａｔｅｒ（Ａｍｂｉｏｎ）に回収し、一晩＋４℃、次いで−８０℃で保存する。最後に、組織をＦａｓｔＰｒｅｐ  ＦＰ１２０（Ｓａｖａｎｔ）でホモジェナイズし、全ＲＮＡをＲＮｅａｓｙキット（Ｑｉａｇｅｎ）を使用して単離する。ＲＮＡの質をＡｇｉｌｅｎｔの２１００  Ｂｉｏａｎａｌｙｚｅｒ  ｌａｂｃｈｉｐｓによりコントロールし、量を分光光度法で測定する。